(57)【要約】  本発明は、ケーシングユニット（１２ａ）と、当該ケーシングユニット（１２ａ）内に配置されている回路モジュール（１４ａ）とを備えた制御機器（１０ａ）に関する。当該回路モジュールは、回路担体（１６ａ）と、当該回路担体（１６ａ）上に取り付けられている少なくとも１つの電気／電子回路ユニット（１８ａ）と、少なくとも１つのコンタクトユニット（２０ａ）とを有しており、当該コンタクトユニットは、前記制御機器（１０ａ）を別の電気構成ユニット（２２ｃ）と電気的に接触接続させるためのものである。本発明では、前記ケーシングユニット（１２ａ）は保護材を有しており、当該保護材は前記回路モジュール（１４ａ）を、前記少なくとも１つのコンタクトユニット（２０ａ）が配置されている、当該保護材によって取り囲まれる少なくとも１つの領域（２４ａ）を空洞にして包囲する。
2013522890.tif 000002
【特許請求の範囲】
【請求項１】
ケーシングユニット（１２ａ、１２ｂ、１２ｃ）と、当該ケーシングユニット（１２ａ、１２ｂ、１２ｃ）内に配置されている回路モジュール（１４ａ、１４ｂ、１４ｃ）とを備えた制御機器であって、
当該回路モジュールは、回路担体（１６ａ、１６ｂ、１６ｃ）と、当該回路担体（１６ａ、１６ｂ、１６ｃ）上に取り付けられている少なくとも１つの電気／電子回路ユニット（１８ａ、１８ｂ、１８ｃ）と、少なくとも１つのコンタクトユニット（２０ａ、２０ｂ、２０ｃ）とを有しており、当該コンタクトユニットは、前記制御機器（１０ａ、１０ｂ、１０ｃ）を別の電気構成ユニット（２２ｃ）と電気的に接触接続させるためのものである、制御機器において、
前記ケーシングユニット（１２ａ、１２ｂ、１２ｃ）は保護材を有しており、当該保護材は前記回路モジュール（１４ａ、１４ｂ、１４ｃ）を、前記少なくとも１つのコンタクトユニット（２０ａ、２０ｂ、２０ｃ）が配置されている、当該保護材によって取り囲まれる少なくとも１つの領域（２４ａ、２４ｂ、２４ｃ）を空洞にして包囲する、
ことを特徴とする制御機器。
【請求項２】
少なくとも１つのコンタクト装置（２６ａ、２６ｂ、２６ｃ）が設けられており、当該コンタクト装置は、前記少なくとも１つの空洞領域（２４ａ、２４ｂ、２４ｃ）に割り当てられており、かつ前記コンタクト装置は、前記回路モジュール（１４ａ、１４ｂ、１４ｃ）を密閉するための密閉ユニット（２８ａ、２８ｂ、２８ｃ）と、前記少なくとも１つのコンタクトユニット（２０ａ、２０ｂ、２０ｃ）と接触接続するための少なくとも１つのコンタクトエレメント（３０ａ、３０ｂ、３０ｃ）とを有している、請求項１記載の制御機器。
【請求項３】
前記回路モジュール（１４ａ、１４ｂ、１４ｃ）の密閉は、前記コンタクト装置（２６ａ、２６ｂ、２６ｃ）により、前記ケーシングユニット（１２ａ、１２ｂ、１２ｃ）の外面（３２ａ、３２ｂ、３２ｃ、３４ａ、３４ｂ、３４ｃ）でおよび／または前記少なくとも１つの空洞領域（２４ａ）の外套面（３６ａ、３８ａ）で行われる、請求項１または２記載の制御機器。
【請求項４】
前記少なくとも１つのコンタクトユニット（２０ａ、２０ｂ、２０ｃ）に１つの空洞（２４ａ、２４ｂ、２４ｃ）が割り当てられており、
ここでは複数のコンタクトユニット（２０ａ、２０ｂ、２０ｃ）に１つの共通の空洞（２４ａ、２４ｂ、２４ｃ）が割り当てられているか、または各コンタクトユニット（２０ａ、２０ｂ、２０ｃ）に１つの別個の空洞（２４ａ、２４ｂ、２４ｃ）が割り当てられている、請求項１から３までのいずれか１項記載の制御機器。
【請求項５】
前記少なくとも１つのコンタクトユニット（２０ｂ）が、前記回路担体（１６ｂ）の片面（５２ｂ）にのみ配置されている、請求項１から４までのいずれか１項記載の制御機器。
【請求項６】
前記コンタクトユニット（２０ａ、２０ｂ）は、少なくとも１つの列（５４ｂ、５６ａ、５６ｂ）で、前記回路担体（１６ａ、１６ｂ）上に配置されている、請求項１から５までのいずれか１項記載の制御機器。
【請求項７】
隣接する２つの列（５４ｂ、５６ｂ）の前記コンタクトユニット（２０ｂ）は相互にずらされて、前記回路担体（１６ｂ）上に配置されている、請求項６記載の制御機器。
【請求項８】
前記少なくとも１つのコンタクトユニット（２０ａ、２０ｂ、２０ｃ）は、前記回路担体（１６ａ、１６ｂ、１６ｃ）の縁部（５８ａ、５８ｂ、５８ｃ）に割り当てられていて端部に近い領域（６０ａ、６０ｂ、６０ｃ）内で、前記回路担体（１６ａ、１６ｂ、１６ｃ）上に配置されている、請求項１から７までのいずれか１項記載の制御機器。
【請求項９】
前記コンタクト装置（２６ｃ）は、少なくとも１つのコンタクトエレメント（３０ｃ）が設けられているケーシング（６８ｃ）を含んでおり、当該ケーシングは、相対的に動く少なくとも２つのケーシングエレメント（７０ｃ、７２ｃ）を有しており、当該ケーシングエレメントは自身の間に前記制御機器（１０ｃ）を少なくとも部分的に収容する、請求項１から８までのいずれか１項記載の制御機器。
【請求項１０】
前記コンタクト装置（２６ｃ）の前記ケーシングエレメント（７０ｃ、７２ｃ）は、ヒンジ（７４ｃ）を介して、相対して旋回する、請求項９記載の制御機器。
【請求項１１】
前記ケーシングエレメント（７０ｃ、７２ｃ）は、係合装置（７６ｃ）を介して互いに固定される、請求項９または１０記載の制御機器。
【請求項１２】
前記少なくとも１つのコンタクトエレメント（３０ｃ）は、前記少なくとも１つのケーシングエレメント（７０ｃ、７２ｃ）の内面（７８ｃ、８０ｃ）に配置されている端子片（８２ｃ、８４ｃ）を含んでおり、当該端子片には、ばね負荷されたおよび／または弾性のコンタクトボディ（８６ｃ、８８ｃ）が配置されている、請求項９から１１までのいずれか１項記載の制御機器。
【発明の詳細な説明】
【技術分野】
【０００１】
先行技術
本発明は、独立請求項１の上位概念に記載された制御機器に基づく。
【０００２】
種々の機能および装置を制御するための制御機器は一般的に知られており、自動車産業においては、自動車の種々の機能を制御するために、ますます使用されるようになってきている。この制御機器は、種々異なる機械的な形態で実現される。通常、制御機器は回路モジュールから成る。この回路モジュールは通常、覆いと底面とから成るケーシングユニット内に配置されている。この回路モジュールはしばしば、プリント回路基板として構成されている回路担体を含んでいる。この回路担体上に、少なくとも１つの電気／電子回路ユニットとコンタクトユニットが配置されている。このコンタクトユニットは、別の電気的な構成ユニットへ制御機器を電気的に接続させるためのものである。コンタクトユニットは通常、いわゆるオス形多点コネクタとして構成されており、これを介してプリント回路基板は例えばケーブル線と接触接続する。
【０００３】
公開文献ＤＥ４４４３５０１Ａ１号には例えば、密閉可能なケーシングユニットを有する制御機器が記載されている。このケーシングユニットは、プリント回路基板として構成された回路担体を含んでいる回路モジュールを収容するために用いられる。この回路担体には、制御機器の機能に対して必要な全ての構成素子が設けられている。このケーシングユニットは、電気機械的な装置と固定的に接続されている第１のケーシング部分と、この固定されたケーシング部分から離れる方向に動くことが可能な第２のケーシング部分とを含んでいる。別の電気的な構成ユニットへ制御機器のプリント回路基板を電気的に接続するために、ケーシングユニットの可動ケーシング部分には、オス形多点コネクタとして構成されているコンタクトユニットが設けられている。
【０００４】
発明の概要
独立請求項１の特徴を備えた本発明の制御機器は、従来技術とは異なり、ケーシングユニットが保護材を含んでいるという利点を有している。この保護材は、回路モジュールを、少なくとも１つのコンタクトユニットが配置されている、保護材によって取り囲まれる少なくとも１つの領域を空洞にして包囲する。
【０００５】
本発明の実施形態はこれによって、２つの重要な点を満たす。１つは、回路担体とその構成部分を外部の影響、例えば温度、汚れおよび／または水分から保護することであり、もう１つは回路担体を別の電気的な構成ユニット、例えばケーブルツリーと直接的に接触接続させることを可能にすることである。装着されている回路担体の、保護材を用いた、被覆成形によるこの有利な包囲によって、そうでない場合には通常である、複数の製造ステップを省くことができる。これによって有利には、コストを省くことができる。被覆成形時には、装着された回路担体は直接的にプラスチックによって射出成形被覆される。これによって、そうで無い場合には通常のケーシング部分、例えばケーシング下部およびケーシング上部が省かれる。従って、製造時に幾つかの取り付けステップ、例えばケーシング構成部分の供給、ケーシング下部内での回路担体のねじ止め、ケーシング下部とケーシング上部との間で作用するシーリングの被着、ケーシング下部上へのケーシング上部の載置、２つのケーシング部分相互のねじ止めが省かれる。殊に、ケーブルツリー等との回路担体の直接的な接触接続が可能であることによって、付加的に組み込まれるコンタクトユニット、例えばオス形多点コネクタを省くことができる。これによって、有利には、制御機器用の製造コストが下げられる。コンパクトで、比較的小さく、かつ周辺影響から良好に保護されている制御機器が得られる。
【０００６】
従属請求項に記載されている措置および発展形態によって、独立請求項１に記載されている制御機器を有利に改善することができる。
【０００７】
特に有利には、制御機器は少なくとも１つのコンタクト装置を有している。このコンタクト装置は、少なくとも１つの空洞領域に割り当てられており、回路モジュールをシーリングするためのシーリングユニットと、少なくとも１つのコンタクトユニットと接触接続させるための少なくとも１つのコンタクトエレメントとを含んでいる。ここで保護材内に設けられている空洞は、この空洞を包囲している外縁を有する。殊に、この包囲されている外縁は、保護材から形成されている。この外縁はここで、コンタクトエレメントないしは回路モジュールをシーリングするのに適している面を有している。これは、シーリングエレメントと作用接続される。有利にはこれによって容易かつ低コストに、回路担体と別の構成部分との確実な電気的な接触接続が保証される。
【０００８】
本発明による制御機器の有利な実施形態では、回路モジュールのシーリングは、コンタクト装置を介して行われる。これは、ケーシングユニットの外面および／または、少なくとも１つの空洞領域の外套面、殊に、空洞の、この領域内に形成されている閉鎖された外縁で行われる。有利には、制御機器の回路モジュールの本発明による包囲によって、ケーシングユニットの外面で回路モジュールを密閉することができる。これら２つの面は例えば、成形時に、極めて正確にかつ高い表面の質で構成される。これによって良好なシーリングが実現される。ケーシングユニットの本発明によるこの構成に基づいて、殊に、ケーシング下部とケーシング上部との間で作用するシーリングを被着することが省かれる。この密閉によってさらに、回路モジュールを空洞領域の外套面で密閉することが可能になる。この場合には、この空洞内に設けられるべきコンタクト装置がくさび形状に構成される。従って、この空洞の形成された外縁は、少なくとも１つの領域において、ケーシングユニットの外面から始まって、回路モジュールのコンタクトエレメントの方向で、傾斜して降下するように構成されている。良好な接触接続のために、コンタクト装置のコンタクトエレメントが常に同じ力で、有利にはグラウンドとして構成されているコンタクトユニット上に載置される、ないしは押圧されるのは有利である。このために、ケーシングユニットの外面の間の間隔、すなわちケーシングユニットの上方エッジと下方エッジとの間の間隔、ひいてはコンタクトエレメントの長さも一定であることが必要である。しかし回路担体の厚さは通常、一定ではなく、ある程度変動する。空洞の外套面で行われる密閉によってこの欠点が除去される。従って一定の間隔、ひいては一定の接触力が保証される。
【０００９】
本発明の別の有利な形態では、少なくとも１つのコンタクトユニットに１つの空洞が割り当てられている。ここでこれらの複数のコンタクトユニットに、１つの共通の空洞が割り当てられている、または各コンタクトユニットに１つの別個の空洞が割り当てられている。有利には、ケーシングユニットの本発明による構成は空洞の種々の実施形態を可能にする。ここで、空洞の数、大きさおよび位置は、要望に応じて自由に選択可能である。すなわち、使用可能な空間に依存して、並びにコンタクトユニットが配置されている回路担体上の領域に依存して、自由に選択可能である。本発明の第１の実施形態では、コンタクトユニットがその上に位置している回路担体の全領域が、空洞にされる。本発明の第２の実施形態では、付加的に、コンタクトユニットの間の自由空間が保護材で充填される。従って、依然としてコンタクトユニットは露出されている。コンタクトユニット上のこのような、いわゆる通路はここで有利には、縦穴としてまたは穿孔として構成される。有利にはこの場合にはフィン構造が生じる。これは、コンタクトユニットに対する傷害保護である。従って、コンタクトユニットは損傷および／または接触から保護される。殊にこの構成は付加的に、製造プロセスにおいて利点を提供する。この利点は密閉および工具における公差補償に関する。同時に、ケーシングユニットの１つないしは複数の空洞内での、回路担体に接触しているコンタクト装置のセンタリングも行われる。
【００１０】
本発明による制御機器の別の構成では、コンタクトユニットは、回路担体の方面にのみ配置される。有利には、コンタクトユニットは、回路担体上に少なくとも１つの列で配置される。制御機器の製造時には、装備された回路担体は、有利には、プラスチックとして構成されている保護材によって包囲され、有利には熱硬化性樹脂によって被覆鋳造される。このような成形プロセスは、工具内および回路担体上のコンタクトユニットに対して良好な密閉措置を必要とする。なぜなら、成形材ないしは保護材は通常、極めて低粘度の材料だからである。これは小さい隙間内に流入してしまう恐れがある。有利には、回路担体上でのコンタクトユニットの本発明による位置付けによって、標準的な回路担体では通常約±０．１５ｍｍである回路担体の厚さ公差を、成形工具の密閉コンセプトにおいて考慮する必要がなくなる。公差は構成部分ないしは製品の構造、製造および取り付け時の重要な視点であり、各個々の構成部分の公差は複数の部分の組み立て時に合算されて、不利な公差連鎖を形成し得るので、公差をできるだけ小さく保つことが重要である。しかし選択される公差が小さくなるほど、相応する構成部分の製造にはよりコストがかかり、高価になってしまう。まさに、回路担体のこの公差は、構造および構成部分全体に対する試みである。制御機器に対する回路担体の基本材料は例えば約１．６ｍｍの厚さであり、この際に公差は上または下方向で、格段に０．１ｍｍを越える。従って通常使用されている標準的な回路担体は、約±０．１５ｍｍの厚さ公差を有する。ここで標準的なレイアウトを有する回路担体が使用される場合には、成形工具は回路担体のこの厚さ公差を補償しなければならない。成形原材料の上述した低い粘度が原因で、極めて高い要求が工具に課せられる。テストによって、回路担体ベースの上方縁部と、グラウンドとして構成されたコンタクトユニットの上方縁部との、約５０μｍの高低差だけでも、グラウンド間の成形材の流出の原因となってしまう、ということが明らかになっている。これはいわゆるブリージング(Bleeding)およびフラッシング(Flashing)である。コンタクトユニットが、回路担体の片面上にのみ位置付けられているということによって、工具は公差を補償する必要がなくなり、確実に良好な成形結果が得られる。殊に、回路担体のこの構成は、回路担体と別の電気的な構成素子との接触接続時に充分な接触力を保証する。コンタクトユニットが回路担体の片面にのみ配置されているということによって、回路担体厚さの公差が、この接触接続時に補償される必要はない。これによって、接触のためのシステムないし装置は、これが従来のオス形多点コネクタであるか、または直接差し込みシステムないしは直接差し込み接続部であるかにかかわらず、より簡単に設計され、これによって低コストに構成される。
【００１１】
有利には、２つの隣接した列のコンタクトユニットは、回路担体上に相互にずらして配置される。有利にはこれによって、回路ユニットの個々の導体路を良好に分解することが可能になる。
【００１２】
本発明による制御機器の別の有利な構成では、コンタクト装置は、コンタクトエレメントが設けられたケーシングを有する。このケーシングは、少なくとも２つの、相対的に動くケーシングエレメントを有する。これらのケーシングエレメントは、制御機器を少なくとも部分的に、自身の間に収容する。有利には、制御機器とコンタクト装置との全体的な配置構成のコンパクトな構造が得られる。制御機器がコンタクト装置によってほぼ「受け入れられる」ようにするために、制御機器とコンタクト装置とから成るこの配置構成は全体として、制御機器と従来の差し込みコンセプトとから成る直列的な配置構成よりも小さく構成される。有利には、制御機器に対する、コンタクト装置の容易かつ確実な固定が実現される。これは殊に、振動負荷の発生に関する。
【００１３】
コンタクト装置のさらなる有利な構成では、ケーシングエレメントは、ヒンジを介して相対して旋回するように構成されている。コンタクト装置のさらなる有利な構成では、ケーシングエレメントは、係合装置を介して相対的に固定される。有利にはこれによって、コンタクト装置を制御機器に、殊に発生している振動負荷に関して、容易かつ確実に固定することができる。この場合には有利には付加的な可動部分、例えばスライダーまたは付加的な旋回レバーを省くことができる。
【００１４】
コンタクト装置の別の有利な構成では、コンタクトエレメントは、少なくとも１つのケーシングエレメントの内側に配置されている端子片を含んでいる。これにはばね負荷されたコンタクトボディが配置されている。有利には制御機器は、閉鎖されたコンタクト装置内に確実に保持されている。コンタクト装置のシーリングユニットは、制御機器の成形された表面上を確実に密閉し、弾性のコンタクトボディは、回路担体のコンタクトユニット上に確実に固定されている。総合的に、確実な、外部に対して密閉されている、別の電気的な構成部分と回路担体の直接的な電気的接触接続が得られる。相対して旋回可能な、コンタクト装置のケーシングエレメントによって、制御機器とコンタクト装置の取り付け時の電気的なコンタクト面の摩擦負荷が確実に回避される。
【００１５】
本発明の実施例を図示し、以下でより詳細に説明する。
【図面の簡単な説明】
【００１６】
【図１】図１は、ケーシングユニットと、当該ケーシングユニット内に配置されている回路モジュールとを備えた、本願発明による制御機器の第１の実施例の斜視図を示している。ここでこの回路モジュールはコンタクトユニットを有しており、このコンタクトユニットは、ケーシングの空洞領域内に、回路モジュールの回路担体上に配置されている。
【図２】図２は、コンタクト装置の第１の実施例を備えた、図１に示された制御機器の断面図を示しており、当該コンタクト装置は空洞に割り当てられており、密閉ユニット並びにコンタクトエレメントを含んでいる。ここでこの密閉は、ケーシングユニットの外面で行われる。
【図３】図３は、コンタクト装置の第２の実施例を備えた、図１に示された制御機器の断面図を示しており、当該コンタクト装置は空洞に割り当てられており、密閉ユニット並びにコンタクトエレメントを含んでいる。ここでこの密閉は、空洞の外套面で行われる。
【図４】図４は、制御機器の第３の実施例の断面図を示している。ここでコンタクトユニットは、回路担体の１つの表面上にのみ配置されている。
【図５】図５は、回路担体の上面上に配置されているコンタクトユニットを備えた、図４に示されている制御機器のケーシングの空洞領域の概略的な平面図を示している。
【図６】図６は、本発明による制御機器の第４の実施例の種々の概略図を示している。ここではコンタクト装置が設けられており、この制御機器はコンタクトエレメントが設けられているケーシングを含んでいる。このケーシングは少なくとも２つの、制御機器を自身の間に収容しているケーシングエレメントを有している。図６は、コンタクト装置のケーシングエレメントの、下からの概略図を示している。
【図７】図７は、本発明による制御機器の第４の実施例の種々の概略図を示している。ここではコンタクト装置が設けられており、この制御機器はコンタクトエレメントが設けられているケーシングを含んでいる。このケーシングは少なくとも２つの、制御機器を自身の間に収容しているケーシングエレメントを有している。図７は、図６に示されたコンタクト装置のケーシングエレメントの概略的な断面図を示している。
【図８】図８は、本発明による制御機器の第４の実施例の種々の概略図を示している。ここではコンタクト装置が設けられており、この制御機器はコンタクトエレメントが設けられているケーシングを含んでいる。このケーシングは少なくとも２つの、制御機器を自身の間に収容しているケーシングエレメントを有している。図８は、図６に示されたコンタクト装置のケーシングエレメントの概略的な平面図を示している。
【図９】図９は、本発明による制御機器の第４の実施例の種々の概略図を示している。ここではコンタクト装置が設けられており、この制御機器はコンタクトエレメントが設けられているケーシングを含んでいる。このケーシングは少なくとも２つの、制御機器を自身の間に収容しているケーシングエレメントを有している。図９は、本発明による制御機器の第４の実施例の概略的な側面図を示している。この制御機器は、図６〜８に示されたコンタクト装置のケーシングエレメントの間に収容可能である。
【図１０】図１０は、本発明による制御機器の第４の実施例の種々の概略図を示している。ここではコンタクト装置が設けられており、この制御機器はコンタクトエレメントが設けられているケーシングを含んでいる。このケーシングは少なくとも２つの、制御機器を自身の間に収容しているケーシングエレメントを有している。図１０は、図９に示された本発明による制御機器の第４の実施例の概略的な部分断面図を示している。
【図１１】図１１は、本発明による制御機器の第４の実施例の種々の概略図を示している。ここではコンタクト装置が設けられており、この制御機器はコンタクトエレメントが設けられているケーシングを含んでいる。このケーシングは少なくとも２つの、制御機器を自身の間に収容しているケーシングエレメントを有している。図１１は、図９に示された本発明による制御機器の第４の実施例の概略的な平面図を示している。
【図１２】図１２は、本発明による制御機器の第４の実施例の種々の概略図を示している。ここではコンタクト装置が設けられており、この制御機器はコンタクトエレメントが設けられているケーシングを含んでいる。このケーシングは少なくとも２つの、制御機器を自身の間に収容しているケーシングエレメントを有している。図１２は、本発明による制御機器の第４の実施例を、コンタクト装置の中に入れる流れおよび２つのケーシングエレメントの係合を示している。
【図１３】図１３は、本発明による制御機器の第４の実施例の種々の概略図を示している。ここではコンタクト装置が設けられており、この制御機器はコンタクトエレメントが設けられているケーシングを含んでいる。このケーシングは少なくとも２つの、制御機器を自身の間に収容しているケーシングエレメントを有している。図１３は、本発明による制御機器の第４の実施例を、コンタクト装置の中に入れる流れおよび２つのケーシングエレメントの係合を示している。
【図１４】図１４は、本発明による制御機器の第４の実施例の種々の概略図を示している。ここではコンタクト装置が設けられており、この制御機器はコンタクトエレメントが設けられているケーシングを含んでいる。このケーシングは少なくとも２つの、制御機器を自身の間に収容しているケーシングエレメントを有している。図１４は、本発明による制御機器の第４の実施例を、コンタクト装置の中に入れる流れおよび２つのケーシングエレメントの係合を示している。
【図１５】図１５は、本発明による制御機器の第４の実施例の種々の概略図を示している。ここではコンタクト装置が設けられており、この制御機器はコンタクトエレメントが設けられているケーシングを含んでいる。このケーシングは少なくとも２つの、制御機器を自身の間に収容しているケーシングエレメントを有している。図１５は、本発明による制御機器の第４の実施例を、コンタクト装置の中に入れる流れおよび２つのケーシングエレメントの係合を示している。
【実施例】
【００１７】
図１〜４および９〜１５から読み取れるように、殊に自動車用の制御機器１０ａ、１０ｂ、１０ｃは、ケーシングユニット１２ａ、１２ｂ、１２ｃと、このケーシングユニット１２ａ、１２ｂ、１２ｃ内に配置されている回路モジュール１４ａ、１４ｂおよび１４ｃとを含んでいる。図２〜４および１０および１２〜１５から読み取れるように、回路モジュール１４ａ、１４ｂ、１４ｃは、回路担体１６ａ、１６ｂおよび１６ｃを含んでいる。この回路担体上には少なくとも１つの電気／電子回路ユニット１８ａ、１８ｂ、１８ｃと、複数のコンタクトユニット２０ａ、２０ｂ、２０ｃとが取り付けられている、ないしは被着されている。これらのコンタクトユニットは、有利にはエンジン制御機器として構成されている制御機器１０ａ、１０ｂ、１０ｃを、図６〜８および１２〜１５から読み取れる別の電気的な構成ユニット２２ｃに電気的に接触接続させるためのものである。この実施例では、回路担体１６ａ、１６ｂ、１６ｃは有利にはプレート形状に構成されており、輪郭は有利には矩形状に構成されている。別の形状も設定可能である。
【００１８】
有利には回路担体１６ａ、１６ｂ、１６ｃは、プリント回路基板および／または基板を含んでいる。これは例えばプラスチック基板として、またはセラミック基板として構成されている。有利にはコンタクトユニット２０ａ、２０ｂ、２０ｃないし回路担体１６ａ、１６ｂ、１６ｃのコンタクト箇所は、グラウンドないしは小さいコンタクトプレートとして構成されている。コンタクト特性を改善するために、コンタクトユニット２０ａ、２０ｂ、２０ｃに有利には金の表面を設けることができる。
【００１９】
一方で回路担体１６ａ、１６ｂ、１６ｃおよびその構成部分１８ａ、１８ｂ、１８ｃ、２０ａ、２０ｂ、２０ｃを外部影響から保護するために、他方で、別の電気的な構成ユニット２２ｃと回路担体１６ａ、１６ｂ、１６ｃの直接的な接触接続を可能にするために、本発明では、ケーシングユニット１２ａ、１２ｂ、１２ｃは保護材を含んでいる。この保護材は回路モジュール１４ａ、１４ｂ、１４ｃを、少なくとも１つのコンタクトユニット２０ａ、２０ｂ、２０ｃが配置されている、保護材によって取り囲まれる領域２４ａ、２４ｂ、２４ｃの少なくとも１つを空洞にして包囲する。この設けられた空洞は、空洞を包囲している外縁を形成する。ここでこの外縁自体は、保護材から形成されている。
【００２０】
ケーシングユニット１２ａ、１２ｂ、１２ｃの製造時に、回路モジュール１４ａ、１４ｂ、１４ｃは、硬い射出成形材料によって射出成形される、または熱硬化性プラスチックを用いて、例えばサーモトランスファ成形によって射出成形被覆される。これは、装着された回路担体１６ａ、１６ｂ、１６ｃをプラスチック１２ａ、１２ｂ、１２ｃによって包囲すること、有利には熱硬化性樹脂によって被覆成形することを意味している。ここでこの回路担体１６ａ、１６ｂ、１６ｃは、プラスチック１２ａ、１２ｂ、１２ｃ内に閉じ込められ、コンタクトユニットないしはグラウンド２０ａ、２０ｂ、２０ｃのみが露出する。
【００２１】
回路担体１６ａ、１６ｂ、１６ｃを別の電気的な構成ユニット２２ｃと接触接続させるために、少なくとも１つの空洞２４ａ、２４ｂ、２４ｃに割り当てられているコンタクト装置２６ａ、２６ｂ、２６ｃが設けられている。
【００２２】
図１〜４および１２〜１５に示されているように、コンタクト装置２６ａ、２６ｂ、２６ｃは密閉ユニット２８ａ、２８ｂ、２８ｃを、回路モジュール１４ａ、１４ｂ、１４ｃ密閉するために有しており、さらにコンタクトエレメント３０ａ、３０ｂ、３０ｃを、コンタクトユニット２０ａ、２０ｂおよび２０ｃと接触接続させるために有している。回路モジュール１４ａ、１４ｂ、１４ｃをコンタクト装置２６ａ、２６ｂ、２６ｃを介して密閉することは、ケーシングユニット１２ａ、１２ｂ、１２ｃの外面３２ａ、３２ｂ、３２ｃ、３４ａ、３４ｂ、３４ｃおよび／または空洞２４ａの外套面３６ａ、３８ａで行われる。
【００２３】
図１および２に示された第１の実施例では、第１のコンタクト装置２６ａは密閉ユニット２８ａで以て、上方に位置する、ケーシングユニット１２ａの外面３２ａに配置され、第２のコンタクト装置２６ａは密閉ユニット２８ａで以て、ケーシングユニット１２ａの、下方に位置する外面３４ａに配置されている。
【００２４】
図３に示されている第２の実施例では、空洞２４ａの外套面３６ａ、３８ａで密閉が行われる。これはコンタクト装置２６ａの密閉ユニット２８ａが、空洞２４ａ内部に向けられている折り返し部４４ａ、４６ａを有していることによって行われる。ここでこの折り返し部は、自身の外面４８ａ、５０ａによって、空洞２４ａの外套面３６ａに、有利にはシーリング４２ａを挿入して、当接している。
【００２５】
図４および５に示された第３の実施例では、第１のコンタクト装置２６ｂは第１の密閉ユニット２８ｂで以て、ケーシングユニット１２ｂの、上方に位置する外面３２ｂに配置されており、第２の密閉ユニット２８ｂで以て、ケーシングユニット１２ｂの、下方に位置する外面３４ｂに配置されている。
【００２６】
図６〜１５に示された第４の実施例では、第１のコンタクト装置２６ｃは密閉ユニット２８ｃで以て、同じく、ケーシングユニット１２ｃの、上方に位置する外面３２ｃに配置されており、第２のコンタクト装置２６ｃは密閉ユニット２８ｃで以て、ケーシングユニット１２ｃの下方に位置する外面３４ｃに配置されている。
【００２７】
図２および４並びに１２〜１５では、ケーシングユニット１２ａ、１２ｂおよび１２ｃの外面３２ａ、３２ｂ、３２ｃ、３４ａ、３４ｂ、３４ｃで密閉が行われる。これは、コンタクト装置２６ａ、２６ｂ、２６ｃの密閉ユニット２８ａ、２８ｂ、２８ｃが有利には、別個のシーリング４０ａ、６２ｂ、６４ｂ、６６ｂ、９４ｃ、９６ｃを挿入して、ケーシングユニット１２ａ、１２ｂ、１２ｃの外面３２ａ、３２ｂ、３２ｃ、３４ａ、３４ｂ、３４ｃ上に載置されることによって行われる。
【００２８】
これらの実施例では、複数のコンタクトユニット２０ａ、２０ｂ、２０ｃに、１つの共通の空洞２４ａ、２４ｂ、２４ｃが割り当てられている。この空洞は、コンタクトユニット２０ａ、２０ｂ、２０ｃへのいわゆる介入ないしはアクセスを、有利には、制御機器１０ａ、１０ｂ、１０ｃの上面からも下面からも可能にする。図１〜３に示された第１のコンタクト装置２６ａは、ケーシングユニット１２ａの上方に位置する外面３２ａに配置されており、第２のコンタクト装置２６ａは、ケーシングユニット１２ａの、下方に位置する外面３４ａに配置されている。コンタクト装置２６ｂは、ケーシングユニット１２ｂの上方に位置する外面３２ｂに配置されている。しかし、図示されていない択一的な実施形態では、各コンタクトユニットに、別個の空洞が割り当てられる。
【００２９】
図４および５は、本発明による制御機器１０ｂの第３の実施例を示している。成形プロセスを最適化するために、この制御機器１０ｂでは、コンタクトユニット２０ｂは回路担体１６ｂの片面５２ｂにのみ、有利には回路担体１６ｂの上面に配置されている。すなわちこの実施形態では全てのコンタクトユニット２０ｂが、回路担体１６ｂの同じ面５２ｂに配置されている。これによって、成形プロセスの確実性が高まり、工具コストが下げられ、欠陥商品ができるだけ少なくなる。
【００３０】
完全な制御機器１０ｂの重要な、機能にとって必要なサイズは、コンタクトユニット２０ｂの表面と、ケーシングユニット１２ｂないしは制御機器１０ｂの表面との間隔、すなわち、いわゆるコンタクト間隔、および制御機器１０ｂの厚さ並びに、その上が密閉される制御機器１０ｂの面の平坦さである。コンタクトユニット２０ｂは回路担体１６ｂの片面５２ｂ上にのみ位置しているので、回路担体１６ｂは次のようにして、成形工具内に入れられる。すなわち、回路担体１６ｂの厚さの公差が、いわゆるコンタクト間隔に対して影響を与えないで入れられる。従って、さらなる電気構成ユニットと回路担体１６ｂないしは制御機器１０ｂの接触接続を簡単に設計することができる。なぜなら、接触接続はこの公差を補償する必要がないからである。従って、接触接続のためのシステムないしは装置２６ｂが、これが従来のオス形多点コネクタであるかまたは直接差し込みシステムないしは直接差し込み接続であるかに係わらず、格段に容易に設計され、ひいては低コストに実現される。
【００３１】
制御機器１０ａ、１０ｂ、１０ｃの全ての実施形態では、コンタクトユニット２０ａ、２０ｂ、２０ｃは、１つの列で、また複数の列５４ｂ、５６ａ、５６ｂで、回路担体１６ａ、１６ｂ、１６ｃ上に配置される。有利には、隣接する２つの列５４ｂ、５６ｂで、回路担体１６ｂ上に配置されたコンタクトユニット２０ｂは相互にずらして配置される。
【００３２】
特に有利には、制御機器１０ａ、１０ｂ、１０ｃの全ての実施形態において、コンタクトユニット２０ａ、２０ｂ、２０ｃは、回路担体１６ａ、１６ｂ、１６ｃの１つの縁部５８ａ、５８ｂ、５８ｃに割り当てられている、端部に近い領域６０ａ、６０ｂ、６０ｃ内に、回路担体１６ａ、１６ｂ、１６ｃ上に配置されている。
【００３３】
図６〜１５は、コンタクト装置２６ｃを備えた、本発明による制御機器１０ｃの第４の実施例を示している。このコンタクト装置は、コンタクトエレメント３０ｃが設けられているケーシング６８ｃを含んでいる。このケーシングは少なくとも２つの、相対的に可動可能なケーシングエレメント７０ｃ、７２ｃを含んでいる。これらのケーシングエレメントは、制御機器１０ｃを少なくとも部分的に、有利には完全に、自身の間に収容する。ここで、図６〜８はケーシングエレメント７０ｃ、７２ｃを示しており、図９〜１１は制御機器１０ｃを示している。有利には、ケーシングエレメント７０ｃ、７２ｃは、弁開放部９８ｃおよび１００ｃを有している。図１２〜１５において読み取れるように、被覆成形されてる回路モジュール１４ｃないしは制御機器１０ｃは、２つの相対的に動くないしは相対的に可動に配置されている、コンタクト装置２６ｃのケーシングエレメント７０ｃ、７２ｃの間に、少なくとも部分的に、有利には完全に収容される。ケーシングエレメント７０ｃ、７２ｃの相対的な運動は例えば、ヒンジ７４ｃを介して行われる。これによって、２つのケーシングユニット７０ｃ、７２ｃは、この実施例に示されているように、相対して旋回可能に構成される。択一的な、図示されていない実施形態では、ケーシングエレメントは例えば鍋蓋構造の形で構成される。ここで蓋として構成されているケーシングエレメントは、鍋として構成されているケーシングエレメントから取り外し可能である。有利には、２つのケーシングエレメント７０ｃ、７２ｃは、図７および１２〜１５に示された係合装置７６ｃを介して相互に固定される。
【００３４】
この実施例では、コンタクト装置２６ｃの２つのケーシングエレメント７０ｃ、７２ｃは有利には、２つの点対称のハーフシェルとして構成されている。これは、片面で、ヒンジ７４ｃを介して相互に接続されており、相互に係止される。係止するために、ケーシングエレメント７０ｃ、７２ｃは、ヒンジ７４ｃに対抗している側に、係合装置７６ｃを有している。この係合装置は、相互に係止可能な２つの嵌合フック９０ｃ、９２ｃを含んでいる。
【００３５】
接触接続のために、コンタクトエレメント３０ｃは、少なくとも１つのケーシングエレメント７０ｃ、７２ｃの内面７８ｃ、８０ｃに配置されている端子片８２ｃおよび８４ｃを含んでいる。ここには、ばね負荷されたコンタクトボディおよび／または弾性のコンタクトボディ８６ｃ、８８ｃが配置されている。すなわち、ハーフシェルとして構成されているケーシングエレメント７０ｃ、７２ｃは、それぞれ１つの端子片８２ｃおよび８４ｃを有している。これらの端子片は、ハーフシェル７０ｃ、７２ｃの内面７８ｃ、８０ｃで、回路担体１６ｃ上の直接的な接触接続のための、それぞればね負荷されたおよび／または弾性のコンタクトボディ８６ｃ、８８ｃの形で終了する。有利には、コンタクトボディ８６ｃ、８８ｃないしは端子片８２ｃ、８４ｃの周りに、それぞれ１つの、端面シーリングとして構成されているシーリングエレメント９４ｃ、９６ｃが、密閉ユニット２８ｃとして作用するケーシングエレメント７０ｃ、７２ｃに配置されている。これはコンタクト領域を、制御機器１０ｃないしはケーシングユニット１２ｃの表面ないしは外面３２ｃ、３４ｃ上で密閉することによって、周囲ないしは損傷を与える環境影響から保護する。有利には、端子片８２ｃ、８４ｃと接続されている電気的な線路２２ｃの周りにはそれぞれ１つの、シーリングエレメント１０２ｃ、１０４ｃが配置されている。
【００３６】
図１２〜１４から読み取れるように、制御機器１０ｃはここで、最初の時点では開放されている、ハーフシェル７０ｃ、７２ｃの装置内に入れられる。これは、制御機器１０ｃが有利には半分開放されているコンタクト装置２６ｃ内に入れられることを意味している。シーリングエレメント９４ｃ、９６ｃおよびばね負荷されたおよび／または弾性のコンタクトボディ８６ｃ、８８ｃはこの時点ではまだ負荷されていない。図１５に示されているように、ハーフシェル７０ｃ、７２ｃが閉成されることによって、ばね負荷されたおよび／または弾性のコンタクトボディ８６ｃ、８８ｃは、２つの面から、グラウンドとして構成された、回路担体１６ｃのコンタクトユニット２０ｃまで動かされる。また、コンタクト領域の周りのシーリングエレメント９４ｃ、９６ｃは、制御機器１０ｃないしは制御機器１０ｃのケーシングユニット１２ｃの表面ないしは外面３２ｃ、３４ｃ上で密着する。ハーフシェル７０ｃ、７２ｃは相互に係合される。すなわち、コンタクト装置２６ｃ内で制御機器１０ｃの係合された終端位置が生じる。ハーフシェル７０ｃ、７２ｃが弾性的に変形することによって、接触接続ないしはシーリングに必要な、押圧力が、コンタクト装置２６ｃの内部に加えられ、保持される。
【図１】
2013522890.tif 000003
【図２】
2013522890.tif 000004
【図３】
2013522890.tif 000005
【図４】
2013522890.tif 000006
【図５】
2013522890.tif 000007
【図６】
2013522890.tif 000008
【図７】
2013522890.tif 000009
【図８】
2013522890.tif 000010
【図９】
2013522890.tif 000011
【図１０】
2013522890.tif 000012
【図１１】
2013522890.tif 000013
【図１２】
2013522890.tif 000014
【図１３】
2013522890.tif 000015
【図１４】
2013522890.tif 000016
【図１５】
2013522890.tif 000017
【国際調査報告】
2013522890.tif 000018
2013522890.tif 000019
2013522890.tif 000020
2013522890.tif 000021